(57)【特許請求の範囲】
【請求項１】
中央部に人体センサおよび明るさセンサの少なくとも一方が実装されたセンサ基板と、
前記センサ基板との間に隙間を有して分離され、前記センサの周囲に位置するようにＬＥＤチップおよび蛍光体を配置したＬＥＤパッケージを実装したＬＥＤ基板と、
前記ＬＥＤ基板の前面に配置された凹状反射板と、
有底に形成され、側部の筒部分が前記隙間に介在されて前記センサを覆う第１カバーと、
前記第１カバーとは独立して前記ＬＥＤパッケージを覆う第２カバーとを備える照明器具。
【請求項２】
請求項１に記載の照明器具において、
前記ＬＥＤパッケージは、前記凹状反射板の内方に配置されており、前記凹状反射板の裏側において第１カバーおよび第２カバーに挟接されるパッキンを備える照明器具。
【発明の詳細な説明】
【技術分野】
【０００１】
本発明は、ＬＥＤを光源として例えば天井施工面に埋設されるダウンライトに適用される照明器具に関する。
【背景技術】
【０００２】
従来の照明器具の一例として、ＬＥＤチップを実装したＬＥＤ基板と、センサを実装したセンサ基板とを分離して備えたものがある（例えば、特許文献１参照）。
【先行技術文献】
【特許文献】
【０００３】
【特許文献１】特開２００１−３２５８１０号公報（図１、段落番号００１９）
【発明の概要】
【発明が解決しようとする課題】
【０００４】
ところが、上記特許文献１に開示された従来の照明器具では、中央部が下方に台形状に凹んだ円盤形の支持板が用いられており、支持板の中央部にセンサ基板を介してセンサが取り付けられている。そして、支持板の外側に放熱板を介してＬＥＤ基板が取り付けられている。
従って、上記特許文献１に開示された従来の照明器具では、複雑な台形状の支持板を作成するための工数を多く必要とするばかりか、台形状の支持板の径方向の寸法が大きくなるために全体が大型化する虞がある。
【０００５】
加えて、上記特許文献１に開示された従来の照明器具では、ＬＥＤチップを収容している灯室内にセンサが配置されている。
従って、上記特許文献１に開示された従来の照明器具では、ＬＥＤチップの発熱によりセンサが影響を受ける虞がある。
【０００６】
本発明は、前述した課題を解決するためになされたものであり、その目的は、大型化することなくセンサの性能を保障することができる照明器具を提供することにある。
【課題を解決するための手段】
【０００７】
本発明に係る照明器具は、中央部に人体センサおよび明るさセンサの少なくとも一方が実装されたセンサ基板と、センサ基板との間に隙間を有して分離され、センサの周囲に位置するようにＬＥＤチップおよび蛍光体を配置したＬＥＤパッケージを実装したＬＥＤ基板と、ＬＥＤ基板の前面に配置された凹状反射板と、有底に形成され、側部の筒部分が隙間に介在されてセンサを覆う第１カバーと、第１カバーとは独立してＬＥＤパッケージを覆う第２カバーとを備える。
【０００８】
本発明に係る照明器具は、ＬＥＤパッケージは、凹状反射板の内方に配置されており、凹状反射板の裏側において第１カバーおよび第２カバーに挟接されるパッキンを備える。
【発明の効果】
【０００９】
本発明の照明器具によれば、大型化することなくセンサの性能を保障することができるという効果を有する。
【図面の簡単な説明】
【００１０】
【図１】本発明に係る第１実施形態の照明器具の分解斜視図
【図２】図１の照明器具の底面図
【図３】図１の照明器具の垂直断面図
【図４】本発明に係る第２実施形態の照明器具の垂直断面図
【発明を実施するための形態】
【００１１】
以下、本発明の複数の実施形態に係る照明器具について図面を参照して説明する。
（第１実施形態）
本発明の第１実施形態である照明器具１０は、器具本体１１と、器具本体１１の前面に取り付けられた枠部材１２と、中央部に人体センサ１４が実装されたセンサ基板１３と、センサ基板１３との間に隙間１６を有して分離されていて人体センサ１４の周囲に位置するように蛍光体付きのＬＥＤチップ１７を配置した複数のＬＥＤパッケージ１８を実装したＬＥＤ基板１５と、ＬＥＤ基板１５の前面に配置された凹状反射板１９と、底板２１と筒部２２とを有する有底に形成されて筒部２２が隙間１６に介在されていて人体センサ１４を覆う第１カバー２０と、第１カバー２０とは独立してＬＥＤパッケージ１８を覆う第２カバー２３と、パッキン２４とを備えて天井施工面１に有する取付穴２に埋設されるダウンライトである。
【００１２】
図１に示すように、器具本体１１は、例えば絶縁性を有する硬質な樹脂材料やダイカスト等の金属材料を用いて周板２５と底板２６とを有する有底の円筒形状に形成されている。枠部材１２は器具本体１１と同様の材料を用いて円筒形状に形成されており、器具本体１１の下端部の外側に取り付けられる。枠部材１２は、下端部の外縁に天井施工面１の下面に当接するフランジ２７を有し、外周部に天井施工面１の上面に係止される不図示の複数の取付バネが取り付けられている。
【００１３】
センサ基板１３は、第１カバー２０の筒部２２の内径寸法よりも小さい外径寸法の円板形に形成されており、器具本体１１の底板２６の中央部下方側に取り付けられている。人体センサ１４は、検知対象である人間と周囲の温度差をセンシングする機能を有し、センサ基板１３の下面に実装されているためにセンサ基板１３の下方をセンシング領域に設定している。ＬＥＤ基板１５は、中央部に第１カバー２０の筒部２２の外径寸法よりも大きい内径寸法の第１挿入孔２８を有するドーナツ状の円形板形に形成されており、器具本体１１の底板２６の下面に熱的に接続されて取り付けられている。
【００１４】
センサ基板１３とＬＥＤ基板１５とは、それぞれの板面が上下方向にオフセットされており、センサ基板１３とＬＥＤ基板１５の第１挿入孔２８との間に隙間１６が形成されている。複数のＬＥＤパッケージ１８はＬＥＤ基板１５の下面にＬＥＤチップ１７が実装されているためにＬＥＤ基板１５の下方を照射領域に設定されている。凹状反射板１９は、凹状球面形状に形成されており、内面が例えばアルミニウムスパッタによる金属蒸着面になっている。凹状反射板１９はＬＥＤチップ１７を内方に配置してＬＥＤチップ１７の数と同一の複数有する。
【００１５】
第１カバー２０は、例えば透明や乳白色の樹脂材料を用いて成形されている。第２カバー２３は、第１カバー２０と同様に例えば透明や乳白色の樹脂材料を用いてＬＥＤ基板１５と同等の外径寸法を有するドーナツ状の円板形に形成されている。第２カバー２３は、中央部に第１カバー２０の筒部２２の外径寸法よりも大きい内径寸法の第２挿入孔２９を有し、凹状反射板１９の前面に取り付けられる。パッキン２４は、第１カバー２０の筒部２２の外径寸法よりもわずかに小さい内径寸法を有するとともに第２カバー２３の第２挿入孔２９よりもわずかに大きい外径寸法を有する無端状のオーリング形状に形成されている。
【００１６】
図２、図３に示すように、器具本体１１は、底板２６の中央部に第１カバー２０の筒部２２の外径寸法よりも大きい内径寸法の第３挿入孔３０を有し、周板２５の内部において底板２６上に電源ユニット３１が組み込まれている。電源ユニット３１は、不図示の電源端子台を通じて外部の商用電源の制御回路に電気的に接続されるとともに、不図示の器具配線を通じてセンサ基板１３に有する不図示のプリント回路およびＬＥＤ基板１５に有する不図示のプリント回路に電気的に接続されている。電源ユニット３１には、人体センサ１４から転送された電気信号を処理してＬＥＤ基板１５のプリント回路に所定の電流を供給する不図示のセンサ駆動部と、制御回路からの駆動信号によりＬＥＤ基板１５のプリント回路に所定の電流を供給する点灯駆動部とが内蔵されている。第１カバー２０は、高さ寸法が器具本体１１の底板２６から第２カバー２３までの長さ寸法よりも十分に長い。
【００１７】
次に、第１カバー２０の取付手順について説明する。第１カバー２０は、器具本体１１の下方から筒部２２を先にして、第２カバー２３の第２挿入孔２９を介して、ＬＥＤ基板１５の第１挿入孔２８とセンサ基板１３との間の隙間１６、器具本体１１の第３挿入孔３０の順に挿入されていく。第１カバー２０が器具本体１１に向けて挿入されていくと、第１カバー２０の筒部２２の外径寸法が、第２挿入孔２９よりも小さく、第１挿入孔２８よりも小さく、第３挿入孔３０よりも小さくなっているために、第１カバー２０の筒部２２が、第２挿入孔２９、第１挿入孔２８、第３挿入孔３０にそれぞれ非接触に配置される。このとき、第１カバー２０は、筒部２２の内径寸法がセンサ基板１３の外径寸法よりも大きいために、センサ基板１３に対しても非接触に配置される。
【００１８】
そして、第１カバー２０は、その位置で器具本体１１に固定される。続いて、第２カバー２３の第２挿入孔２９と第１カバー２０の筒部２２との間のパッキン２４が装着されることにより、第２カバー２３と第１カバー２０とが隙間なく密着される。次に、枠部材１２が器具本体１１に取り付けられる。これにより、第１カバー２０の筒部２２により、センサ基板１３および人体センサ１４はＬＥＤ基板１５およびＬＥＤパッケージ１８から熱的に遮断される。そして、パッキン２４はＬＥＤ基板１５およびＬＥＤパッケージ１８から熱的に遮断された第１カバー２０と第２カバー２３とに装着されることになる。
【００１９】
このような照明器具１０は、器具本体１１が天井施工面１の取付穴２に挿入されていき、枠部材１２のフランジ２７が天井施工面１の下面に当接した後に取付バネが天井施工面１の上面に掛止されることにより天井施工面１に設置される。電源ユニット３１に制御回路から駆動信号が与えられることにより点灯駆動部が駆動され、ＬＥＤ基板１５のプリント回路に所定の電流が供給される。これにより、ＬＥＤパッケージ１８のＬＥＤチップ１７が発光され、ＬＥＤチップ１７からの直射光および凹状反射板１９で反射した反射光は第２カバー２３を通じて床面を照射することになる。このとき、ＬＥＤチップ１７が発光されている際に、人体センサ１４により人の存在が検知されていると、人体センサ１４から電源ユニット３１のセンサ駆動部に転送された電気信号によりＬＥＤチップ１７の発光が持続される。これとは異なり、人体センサ１４により人の存在が検知されなくなると、人体センサ１４から電源ユニット３１のセンサ駆動部に転送された電気信号によりＬＥＤチップ１７の発光が中止または減光されて消費電力を抑える。
【００２０】
従って、この第１実施形態の照明器具１０においては、センサ基板１３とＬＥＤ基板１５との間の隙間１６に第１カバー２０の筒部２２が挿入されるために、従来のような複雑な台形状で径方向の寸法が大きい支持板を用いることがない。
これにより、この第１実施形態の照明器具１０においては、大型化することがなくコンパクト化を図ることができる。
また、この第１実施形態の照明器具１０においては、パッキン２４がＬＥＤ基板１５およびＬＥＤパッケージ１８から熱的に遮断された第１カバー２０と第２カバー２３とに装着される。
これにより、この第１実施形態の照明器具１０においては、パッキン２４の劣化を防止することができる。
さらに、この第１実施形態の照明器具１０においては、センサ基板１３および人体センサ１４に対してＬＥＤ基板１５およびＬＥＤパッケージ１８が熱的に遮断される。
これにより、この第１実施形態の照明器具１０においては、センサ基板１３および人体センサ１４にＬＥＤ基板１５およびＬＥＤパッケージ１８からの熱を伝えないので人体センサ１４の性能を保障することができる。
加えて、この第１実施形態の照明器具１０においては、人体センサ１４が第１カバー２０により包囲されるために、人体センサ１４に虫等の飛翔害虫が付着することがなくなるとともに床面を含めて外部から人体センサ１４が目立たなくなる。
これにより、人体センサ１４を保護することができるとともに外観面で良好にすることができる。
【００２１】
（第２実施形態）
次に、本発明の第２実施形態の照明器具について説明する。なお、以下の第２実施形態において、上述した第１実施形態と重複する構成要素や機能的に同様な構成要素については、図中に同一符号あるいは相当符号を付することによって説明を簡略化あるいは省略する。
図４に示すように、本発明の第２実施形態の照明器具４０は、センサ基板１３の人体センサ１４の側部に明るさセンサ４１が実装されている。明るさセンサ４１は、部屋の明るさを常時検知しており、外光が部屋に十分届いている明るいときと、外光が部屋内に届かなくなって暗くなったときとで異なる電気信号をセンサ駆動部に転送する機能を有する。
【００２２】
このような照明器具４０は、ＬＥＤチップ１７が発光されている際に、部屋内の明るさが暗い状態から部屋内が十分に明るくなると、明るさセンサ４１からセンサ駆動部に転送された電気信号により電源ユニット３１によりＬＥＤチップ１７の発光が減光または停止される。
【００２３】
従って、この第２実施形態の照明器具４０においては、明るさセンサ４１により、部屋の明るさに応じてＬＥＤチップ１７からの光が制御される。
これにより、この第２実施形態の照明器具４０においては、日中の消費電力を抑えることができる。
【００２４】
なお、前記各実施形態で使用した器具本体１１、枠部材１２、ＬＥＤパッケージ１８等は例示したものに限定するものではなく適宜変更が可能である。
【符号の説明】
【００２５】
１０、４０  照明器具
１３  センサ基板
１４  人体センサ
１５  ＬＥＤ基板
１６  隙間
１７  ＬＥＤチップ
１８  ＬＥＤパッケージ
１９  凹状反射板
２０  第１カバー
２３  第２カバー
２４  パッキン
４１  明るさセンサ
【図１】
0005388361.tif 000002
【図２】
0005388361.tif 000003
【図３】
0005388361.tif 000004
【図４】
0005388361.tif 000005